(57)【要約】　　　（修正有）【課題】デジタルパワーアンプを備えたオーディオ機器の出力ミュートを簡単な構成で良好に行う。【解決手段】第１スイッチング素子と第２スイッチング素子の直列回路と、第３スイッチング素子と第４スイッチング素子の直列回路とを電源とグランド間に並列に接続し、第１、第２スイッチング素子の接続中点と、第３、第４スイッチング素子の接続中点との間にスピーカを接続し、入力信号に応じて、第１、第４スイッチング素子をオン、第２、第３スイッチング素子をオフとする第１の期間と、第１、第４スイッチング素子をオフ、第２、第３スイッチング素子をオンとする第２の期間とを交互に繰り返すオーディオ機器で、出力をミュートするときは、電源側に接続された第１、第３スイッチング素子をオフ、グランド側に接続された第２、第４スイッチング素子をオンとする。【選択図】　　　図１
2004135016.tif 000002
【特許請求の範囲】
【請求項１】
電源に接続された第１スイッチング素子と、第１スイッチング素子とグランド間に接続された第２スイッチング素子と、第１、第２スイッチング素子の接続中点とスピーカの一端との間に接続された第１のコイルと、前記スピーカの前記一端とグランド間に接続された第１のコンデンサと、前記電源に接続された第３スイッチング素子と、第３スイッチング素子とグランド間に接続された第４スイッチイング素子と、第３、第４スイッチング素子の接続中点と前記スピーカの他端との間に接続された第２のコイルと、前記スピーカの前記他端とグランド間に接続された第２のコンデンサとを具備し、入力信号に応じて、第１、第４スイッチング素子をオン、第２、第３スイッチング素子をオフとする第１の期間と、第１、第４スイッチング素子をオフ、第２、第３スイッチング素子をオンとする第２の期間とを交互に繰り返すことにより前記スピーカから音声を出力するオーディオ機器に設けられた、出力をミュートする制御を行うオーディオ機器の出力ミュート回路において、
出力をミュートするときは、第１、第３スイッチング素子をオフ、第２、第４スイッチング素子をオンとする制御を行うことを特徴とするオーディオ機器の出力ミュート回路。
【請求項２】
前記第１、第２、第３、第４スイッチング素子は、Ｎチャンネル型ＭＯＳトランジスタであることを特徴とする請求項１に記載のオーディオ機器の出力ミュート回路。
【請求項３】
前記入力信号の正相信号と、出力をミュートする期間に応じたミュート信号の論理積をとった信号で第３スイッチング素子をオン・オフ制御する第１ＡＮＤゲートと、前記入力信号の逆相信号と前記ミュート信号の論理積をとった信号で第１スイッチング素子をオン・オフ制御する第２ＡＮＤゲートと、前記入力信号の正相信号と前記ミュート信号の論理積否定をとった信号で第４スイッチング素子をオン・オフ制御する第１ＮＡＮＤゲートと、前記入力信号の逆相信号と前記ミュート信号の論理積否定をとった信号で第２スイッチング素子をオン・オフ制御する第２ＮＡＮＤゲートを設けたことを特徴とする請求項２に記載のオーディオ機器の出力ミュート回路。
【請求項４】
電源に接続された第１スイッチング素子と、第１スイッチング素子とグランド間に接続された第２スイッチング素子と、第１、第２スイッチング素子の接続中点とスピーカの一端との間に接続された第１のコイルと、前記スピーカの前記一端とグランド間に接続された第１のコンデンサと、前記電源に接続された第３スイッチング素子と、第３スイッチング素子とグランド間に接続された第４スイッチイング素子と、第３、第４スイッチング素子の接続中点と前記スピーカの他端との間に接続された第２のコイルと、前記スピーカの前記他端とグランド間に接続された第２のコンデンサとを具備し、入力信号に応じて、第１、第４スイッチング素子をオン、第２、第３スイッチング素子をオフとする第１の期間と、第１、第４スイッチング素子をオフ、第２、第３スイッチング素子をオンとする第２の期間とを交互に繰り返すことにより前記スピーカから音声を出力するオーディオ機器に設けられた、出力をミュートする制御を行うオーディオ機器の出力ミュート回路において、
出力をミュートするときは、前記電源の電圧を零とし、第２、第４スイッチング素子をオンとする制御を行うことを特徴とするオーディオ機器の出力ミュート回路。
【発明の詳細な説明】
【０００１】
【発明の属する技術分野】
本発明は、オーディオ機器の出力ミュート回路に関するものであり、特にオーディオ信号としてＰＷＭ方式等で変調されたデジタル信号によって直接電源をスイッチングし、オーディオ信号を増幅するオーディオ機器の出力ミュート回路に関するものである。
【０００２】
【従来の技術】
従来、オーディオ機器では、電源をオン・オフした直後のオーディオ機器内部の動作が不安定なときに、スピーカから衝撃性の異音（ポップ音）が発生したり、場合によってはスピーカが破損したりすることがあった。このような現象を防ぐため、例えば、オーディオ機器を構成するパワーアンプに、そのパワーアンプの出力経路を遮断するリレースイッチを設け、電源オン・オフ直後の所定期間は前記リレースイッチを開放することにより、パワーアンプから出力が出ないようにする出力ミュートが行われていた。
【０００３】
ところで、近年、オーディオ信号としてパルス幅変調（ＰＷＭ）方式等で変調したデジタル信号で、直接電源をスイッチングしてオーディオ信号を増幅させるデジタルパワーアンプと称されるパワーアンプが開発されている。このデジタルパワーアンプは、例えば、入力したオーディオ信号に基づいてパルス幅変調されたＰＷＭ信号により、安定化電源を高速でスイッチングさせ、そのスイッチングされた電源からオーディオ信号成分を抽出させる処理を行って、接続されたスピーカを駆動させる信号を得るようにしたものである。図４は、オーディオ信号からＰＷＭ信号が生成される原理を示した図である。例えば、図４（ａ）に示すようなオーディオ信号としての正弦波のアナログ信号があるとき、このアナログ信号を、図４（ｂ）に示す１ビットのデジタル信号であるＰＷＭ信号に変換する。
【０００４】
このようなデジタルパワーアンプでは、内部でデジタル信号処理が行われている。そのため、電源オン時には初期化動作として、デジタルパワーアンプ内部のデジタル信号処理部のデータを強制的に０（ゼロ）データに設定するリセット処理が行われる。しかしながら、このようなリセット処理が行われると、そのデータに基づき出力される図４（ｂ）に示すようなＰＷＭ信号のデューティは、０％に近い所定の最低値となるので、負の最大値が出力のレベルに設定されてしまうことになる。そのため、スピーカから大きなポップ音を発生することがある。即ち、スピーカには負極性の所定の直流電圧が印加されることになり、そのまま内部データに変化がなければ、デジタルパワーアンプの出力電圧に変化はなく、スピーカの振動板は振動しないのでポップ音が発生することはないが、リセット処理が終了した後、入力されたオーディオ信号の増幅を開始したとき、内部デジタル信号処理部のデータに０（ゼロ）データから離れたデータが設定されると、出力信号の電圧レベルは負の最大値から、あるレベルに急激に変化することになり、このときポップ音が発生する問題があった。
【０００５】
更に、電源オン時には、デジタルパワーアンプの出力部には電圧が印加されているが内部デジタル信号処理部が安定した動作を行うまでの過渡期に、また電源オフ時には、デジタルパワーアンプの出力部に印加された電圧は残存しているが内部デジタル信号処理部が電圧不足により停止してしまう過渡期に、デジタルパワーアンプの出力には直流電流が流れるので、スピーカからポップ音が発生する問題があった。
【０００６】
そこで、これらの問題点を解決するために、従来のデジタルパワーアンプでは、電源オン・オフ時には、電源オン・オフしてから所定期間はデジタルパワーアンプの出力を最終出力に近いところで無音化させるようにしており、例えば上述のようなリレースイッチによる出力ミュートが行われていた。
【０００７】
また、出力ミュートを行う方法として、前記リセット処理のときにデジタルパワーアンプの内部デジタル信号処理部のデータを、上述した０（ゼロ）データに設定するのではなく、電源をスイッチングするスイッチング素子のオン期間とオフ期間が平均的に等しくなるような配列のデータに設定するようにしているものもある（例えば、特許文献１参照。）。
【０００８】
【特許文献１】
特開２００２−１５８５４１号公報　（第３−５頁、第１図）
【０００９】
【発明が解決しようとする課題】
しかしながら、上述したような出力ミュート用のリレースイッチを設けると、デジタルパワーアンプの構成が複雑化する問題があった。また、スピーカの音を無音化できるが、リレースイッチの動作音が聞こえるので、耳障りであった。更に、コストの上昇を招く問題もあった。また、前記リセット処理のときに、デジタルパワーアンプの内部デジタル処理部のデータを、電源をスイッチングするスイッチング素子のオン期間とオフ期間が平均的に等しくなるような配列のデータに設定する出力ミュートの方法は、デジタルパワーアンプの内部デジタル処理部を複雑化する問題があった。
【００１０】
本発明は、上記の点に鑑み、デジタルパワーアンプを備えたオーディオ機器の出力ミュート回路であって、簡単な構成で良好に出力ミュートが行えるオーディオ機器の出力ミュート回路を提供することを目的とする。
【００１１】
【課題を解決するための手段】
上記目的を達成するために本発明は、第１スイッチング素子と第２スイッチング素子の直列回路と、第３スイッチング素子と第４スイッチング素子の直列回路とを電源とグランド間に並列に接続し、第１、第２スイッチング素子の接続中点と、第３、第４スイッチング素子の接続中点との間にスピーカを接続し、入力信号に応じて、第１、第４スイッチング素子をオン、第２、第３スイッチング素子をオフとする第１の期間と、第１、第４スイッチング素子をオフ、第２、第３スイッチング素子をオンとする第２の期間とを交互に繰り返すことにより前記スピーカから音声を出力するオーディオ機器に設けられた、出力をミュートする制御を行うオーディオ機器の出力ミュート回路において、出力をミュートするときは、前記電源側に接続された第１、第３スイッチング素子をオフ、前記グランド側に接続された第２、第４スイッチング素子をオンとする制御を行うようにしたものである。
【００１２】
このようにすると、前記第１、第３スイッチング素子をオフすることにより、前記電源からスピーカを切り離すことになり、前記電源からスピーカやグランドに電流が流れることがなくなる。そして、前記第２、第４スイッチング素子をオンすることにより、スピーカ両端の電位は両方ともグランド電位となり、スピーカの両端を実質短絡することになる。従って、スピーカから音声が発生しなくなる出力ミュートを簡単な構成で良好に行うことができる。
【００１３】
また例えば、前記第１、第２、第３、第４スイッチング素子を全てＮチャンネル型ＭＯＳトランジスタとすると、Ｎチャンネル型ＭＯＳトランジスタは、Ｐチャンネル型ＭＯＳトランジスタ等に比してオン抵抗が小さいので、前記電源の電圧を低くした状態でオーディオ信号を増幅でき、オーディオ機器の消費電力を低減できる。また、損失が減るので、高効率なオーディオ機器が実現できる。また、出力ミュート時に、スピーカが低抵抗で接地されることになるので、出力ミュート時の出力の減衰率が向上する。
【００１４】
また例えば、前記第１、第２、第３、第４スイッチング素子を全てＮチャンネル型ＭＯＳトランジスタで構成したオーディオ機器において、前記入力信号の正相信号と、出力をミュートする期間に応じたミュート信号の論理積をとった信号で第３スイッチング素子をオン・オフ制御する第１ＡＮＤゲートと、前記入力信号の逆相信号と前記ミュート信号の論理積をとった信号で第１スイッチング素子をオン・オフ制御する第２ＡＮＤゲートと、前記入力信号の正相信号と前記ミュート信号の論理積否定をとった信号で第４スイッチング素子をオン・オフ制御する第１ＮＡＮＤゲートと、前記入力信号の逆相信号と前記ミュート信号の論理積否定をとった信号で第２スイッチング素子をオン・オフ制御する第２ＮＡＮＤゲートを用いて出力ミュート回路を構成すると、出力をミュートするときに、第１、第３スイッチング素子をオフ、第２、第４スイッチング素子をオンとする制御を行う出力ミュート回路が簡単な構成で実現できる。
【００１５】
また例えば、出力をミュートするときに、前記第１、第３スイッチング素子をオフする代わりに前記電源の電圧を零にし、第２、第４スイッチング素子をオンとする制御を行うようにしてもよい。このようにすると、前記第２、第４スイッチング素子をオンすることにより、スピーカ両端の電位がグランド電位となり、実質短絡することになるので、スピーカから音声が発生することはなくなる。そして、前記電源の電圧を零にすることにより、出力をミュートするときに前記第１、第３スイッチング素子をオフせずとも、前記電源からスピーカやグランドに電流が流れることがないので、出力ミュートするときに前記第１、第３スイッチング素子をオフさせる論理ゲート等の制御回路が不要になる。従って、出力ミュートを簡単な構成で良好に行うことができる。
【００１６】
【発明の実施の形態】
以下に本発明の実施形態を図面を参照して説明する。図４は、本発明を適用したオーディオ機器の構成を示す図である。図４において、４１はオーディオ信号源（図示せず）から与えられるオーディオ信号としてのＰＣＭ（Ｐｕｌｓｅ　Ｃｏｄｅ　Ｍｏｄｕｌａｔｉｏｎ）信号をΔΣ（デルタシグマ）変調して、１ビットのＰＷＭ信号を生成するＰＣＭ−ΔΣ変調器である。この１ビットのＰＷＭ信号は、正相信号とその極性を反転した逆相信号を用いて次段のＰＷＭアンプ４２に送られる。ＰＷＭアンプ４２は、電源回路４５から与えられる安定化された直流電源とグランド間に接続された複数のスイッチング素子（図示せず）を前記ＰＷＭ信号に応じてオン・オフ制御し、前記直流電源にオーディオ信号成分を重畳させる。更に、スイッチング素子のスイッチングにより得られた信号から、ローパスフィルタ（図示せず）によって高周波成分を除去し、オーディオ信号成分のみを抽出したスピーカ駆動信号を生成する。このようにして得られたスピーカ駆動信号が、スピーカ４３に供給され、元のオーディオ信号に応じた音声が出力される。
【００１７】
４４は、出力ミュートを行うときに、ミュート信号（２値信号）を発生させるミュート信号発生回路である。ミュート信号は、ＰＷＭアンプ４２に与えられる。その際、電源回路４５にも与えられるようにしてもよい。ミュート信号発生回路４４は、電源オン時においては、電源が立ち上がった後の所定時間経過後に前記ミュート信号を解除する。ミュート信号は、通常の音声出力時はＨレベルで、ミュート時にはＬレベルである。また、電源オフ時にも、前記ミュート信号をＬレベルにして出力ミュートを行う。
【００１８】
出力ミュートは、上述したようなオーディオ機器の電源オン時や電源オフ時にスピーカに発生するポップ音を防止するために行う場合のほか、通常の音声出力中にワンタッチで消音する場合にも行う。例えば、音楽等を聞いている時に即座に消音したい場合、音量ボリュームを絞って消音するよりも操作部等に設けられた消音ボタンを押して消音し、再び音楽を聞く場合は、再度消音ボタンを押して元の音量に復帰すれば便利である。この場合、ミュート信号発生回路４４は、前記ミュート信号を消音操作が行われたときにＨレベルからＬレベルに変化させ、消音の解除操作が行われたときにＬレベルからＨレベルに変化させる。
【００１９】
図１は、本発明の第１の実施形態を示す回路図である。図１において、１はＰＷＭ信号の正相信号が入力される入力端子であり、２はＰＷＭ信号の逆相信号が入力される入力端子である。また、３は前記ミュート信号が印加される制御端子である。１１、１２は、２個の論理入力端子と１個の論理出力端子を有するＡＮＤゲートであり、１３、１４は、２個の論理入力端子と１個の論理出力端子を有するＮＡＮＤゲートである。そして、ＡＮＤゲート１１の論理入力端子の一端とＮＡＮＤゲート１３の論理入力端子の一端とが入力端子１に接続され、ＡＮＤゲート１２の論理入力端子の一端とＮＡＮＤゲート１４の論理入力端子の一端とが入力端子２に接続されている。また、ＡＮＤゲート１１、１２の論理入力の他端とＮＡＮＤゲート１３，１４の論理入力の他端とが制御端子３に接続されている。
【００２０】
５は、オーディオ機器内部に設けられた電源回路であり、直流電圧Ｖｃｃを電源端子４に供給する。尚、電源回路５の供給する直流電圧Ｖｃｃは、消費電力低減のため、また残留雑音低減のため、オーディオ機器の音量ボリュームに応じて可変できるようになっている。
【００２１】
ＳＷ１、ＳＷ２、ＳＷ３、ＳＷ４は、全てＮチャンネル型のＭＯＳトランジスタ（以下、ＮＭＯＳトランジスタという。）である。ＮＭＯＳトランジスタＳＷ１のドレイン端子が電源端子４に接続され、ソース端子がＮＭＯＳトランジスタＳＷ２のドレイン端子に接続され、ゲート端子がＡＮＤゲート１２の論理出力端子に接続されている。そして、ＮＭＯＳトランジスタＳＷ２のソース端子はグランドに接続され、ゲート端子がＮＡＮＤゲート１４の論理出力端子に接続されている。また、ＮＭＯＳトランジスタＳＷ３のドレイン端子が電源端子４に接続され、ソース端子がＮＭＯＳトランジスタＳＷ４のドレイン端子に接続され、ゲート端子がＡＮＤゲート１１の論理出力端子に接続されている。そして、ＮＭＯＳトランジスタＳＷ４のソース端子はグランドに接続され、ゲート端子がＮＡＮＤゲート１３の論理出力端子に接続されている。
【００２２】
ＮＭＯＳトランジスタＳＷ１のソース端子は、コイルＬ１の一端に接続され、コイルＬ１の他端はコンデンサＣ１を介してグランドに接続されている。更に、コイルＬ１の前記他端は、出力端子１５に接続されている。また、ＮＭＯＳトランジスタＳＷ３のソース端子は、コイルＬ２の一端に接続され、コイルＬ２の他端はコンデンサＣ２を介してグランドに接続されている。更に、コイルＬ２の前記他端は、出力端子１６に接続されている。尚、出力端子１５、１６間にスピーカ１７が接続されている。
【００２３】
以上の回路構成による音声出力動作を図１と表１を参照して説明する。表１は、図１に示す回路における入力信号（ＰＷＭ信号）とＮＭＯＳトランジスタＳＷ１、ＳＷ２、ＳＷ３、ＳＷ４のオン・オフ状態との関係を示す表である。表１において、入力信号と記した欄の下欄に記す”通常時”は、音声出力中を意味し、”ミュート時”は、出力ミュート中を意味する。また、同じく入力信号と記した欄の下欄に記す”正”は、図１に示す入力端子１に入力される入力信号のレベルがＨレベルであり、入力端子２に入力される入力信号のレベルがＬレベルである状態を意味する。そして、同じく入力信号と記した欄の下欄に記す”負”は、図１に示す入力端子１に入力されるＰＷＭ信号のレベルがＬレベルであり、入力端子２に入力されるＰＷＭ信号のレベルがＨレベルである状態を意味する。また、”ＳＷ１”、”ＳＷ２”、”ＳＷ３”、”ＳＷ４”は図１に示すＮＭＯＳトランジスタの記号である。また、”ＯＮ”、”ＯＦＦ”と記してあるのは、その上段に記した記号に対応したＮＭＯＳトランジスタのオン・オフ状態を意味するものである。尚、最右欄に記した▲１▼、▲２▼、▲３▼、▲４▼は行ナンバーを示したものである。
【００２４】
【表１】
2004135016.tif 000003
【００２５】
まず、スピーカから音声出力が行われているとき（通常時）の動作を説明する。図１に示す制御端子３に印加されるミュート信号は、通常時においてはＨレベルである。従って、ＡＮＤゲート１１、１２、ＮＡＮＤゲート１３、１４の各論理入力端子の一端はＨレベルとなる。この状態で、入力端子１に入力されるＰＷＭ信号がＨレベル、入力端子２に入力されるＰＷＭ信号がＬレベルであるとき、ＡＮＤゲート１１の論理出力端子はＨレベル、ＡＮＤゲート１２の論理出力端子はＬレベル、ＮＡＮＤゲート１３の論理出力端子はＬレベル、ＮＡＮＤゲート１４の論理出力端子はＨレベルとなる。そして、各論理出力端子の電圧がそのゲート端子に印加される各ＮＭＯＳトランジスタの状態は、表１の▲１▼行に示すように、ＮＭＯＳトランジスタＳＷ１、ＳＷ４がオフ、ＮＭＯＳトランジスタＳＷ２、ＳＷ３がオンになる。
【００２６】
また、入力信号が上述の状態とは逆の状態、即ち、入力端子１に入力される入力信号がＬレベル、入力端子２に入力される入力信号がＨレベルであるときは、ＡＮＤゲート１１の論理出力端子はＬレベル、ＡＮＤゲート１２の論理出力端子はＨレベル、ＮＡＮＤゲート１３の論理出力端子はＨレベル、ＮＡＮＤゲート１４の論理出力端子はＬレベルとなるので、表１の▲２▼行に示すように、ＮＭＯＳトランジスタＳＷ１、ＳＷ４がオン、ＮＭＯＳトランジスタＳＷ２、ＳＷ３がオフになる。
【００２７】
上述のような関係で、ＮＭＯＳトランジスタＳＷ１、ＳＷ２、ＳＷ３、ＳＷ４が入力信号に応じてオン・オフされることにより、ＮＭＯＳトランジスタＳＷ１のソース端子と、ＮＭＯＳトランジスタＳＷ３のソース端子との間に、振幅が直流電圧Ｖｃｃであり、極性が交互に変わるパルス状の信号が発生する。そして、このパルス状の信号から、コイルＬ１とコンデンサＣ１とで構成された第１のローパスフィルターと、コイルＬ２とコンデンサＣ２とで構成された第２のローパスフィルタとによって高周波成分が除去され、元のオーディオ信号成分のみが抽出された信号が、出力端子１５，１６間に接続されたスピーカ１７に供給され音声が出力される。
【００２８】
次に出力ミュートを行うとき（ミュート時）の動作を説明する。出力ミュートを行うときには、制御端子３に印加されるミュート信号はＬレベルとなる。従って、ＡＮＤゲート１１、１２、ＮＡＮＤゲート１３、１４の各論理ゲートの論理入力端子の一端はＬレベルとなるので、各論理ゲートの論理入力端子の他端のレベルに関わらず、即ち、入力端子１及び２に入力される入力信号に関わらず、ＡＮＤゲート１１、１２の論理出力端子はＬレベルとなり、ＮＡＮＤゲート１３、１４の論理出力端子はＨレベルとなる。従って、表１の▲３▼行、▲４▼行に示すように、入力信号が変化してもＮＭＯＳトランジスタＳＷ１、ＳＷ３がオフ、ＮＭＯＳトランジスタＳＷ２、ＳＷ４がオンの状態を維持する。
【００２９】
ＮＭＯＳトランジスタＳＷ１、ＳＷ３が両方共オフになることにより、スピーカ１７は電源端子４から切り離されるので、電源回路５から電流が流れることがなくなる。また、ＮＭＯＳトランジスタＳＷ２、ＳＷ４が両方共オンになると、出力端子１５，１６の電位は両方共グランド電位となり、スピーカ１７の両端は実質短絡された状態となるので、音声出力を発生することがなくなり消音する。このようにして、出力ミュートが行われる。
【００３０】
図２は、本発明の第２の実施形態を示した回路図である。図２において、図１と同一の部分については同一の符号を付し、説明を省略する。図２において、図１と相違する点は、ＮＭＯＳトランジスタＳＷ３のゲート端子が、図１に示すＡＮＤゲート１１を介さず、直接入力端子１に接続され、ＮＭＯＳトランジスタＳＷ１のゲート端子が、図１に示すＡＮＤゲート１２を介さず、直接入力端子２に接続されている点と、電源回路５の出力電圧である直流電圧Ｖｃｃをミュート信号に応じて零にするために、電源端子４と電源回路５の出力部との間に、ミュート信号に応じて動作するスイッチ６が設けられている点である。尚、スイッチ６は、半導体スイッチであってもよいし、機械式のスイッチであってもよい。
【００３１】
次に、図２に示す回路の動作を図２と表２を参照して説明する。表２は、図２に示す回路における入力信号（ＰＷＭ信号）とＮＯＭＳトランジスタＳＷ１、ＳＷ２、ＳＷ３、ＳＷ４のオン・オフ状態との関係を示す表である。尚、表２に記した記号の意味は、表１に記した記号の意味と同じである。表２の最右欄の▲５▼、▲６▼、▲７▼、▲８▼は行ナンバーを示したものである。
【００３２】
【表２】
2004135016.tif 000004
【００３３】
まず、スピーカから音声出力が行われているとき、即ち通常時の動作は、上述した第１の実施形態で説明した通常時の動作と同じである。即ち、入力信号とＮＭＯＳトランジスタＳＷ１、ＳＷ２、ＳＷ３、ＳＷ４のオン・オフとの関係は、表１の▲１▼、▲２▼行に示す関係と同じ関係となり、表２の▲５▼、▲６▼行に示すようになる。尚、このときスイッチ６はオンしており、電源回路５から電源端子４に直流電圧Ｖｃｃが供給されている。次に、ミュート時は、ＮＭＯＳトランジスタＳＷ１、ＳＷ３は、表２の▲７▼、▲８▼行に示すように、通常時と同じく入力信号に応じてオン・オフするが、ＮＭＯＳトランジスタＳＷ２、ＳＷ４は、ＮＡＮＤゲート１３、１４の論理入力端子の一端に入力されるミュート信号がＬレベルであり、いずれも論理出力端子がＨレベルになるので、表２の▲７▼、▲８▼行に示すように、入力信号に関わらずオンとなる。
【００３４】
ＮＭＯＳトランジスタＳＷ２、ＳＷ４が両方共オンになると、出力端子１５，１６の電位は両方共グランド電位となり、スピーカ１７の両端は実質短絡された状態となるので、音声出力を発生することがなくなり消音する。そして、表２の▲７▼、▲８▼行に示すように、ＮＭＯＳトランジスタＳＷ３、ＳＷ４が同時にオン、また、ＮＭＯＳトランジスタＳＷ１、ＳＷ２が同時にオンして、電源端子４とグランドが導通することになるが、ミュート信号に応じてスイッチ６がオフとなり、または電源電圧が０Ｖにコントロールされ、電源回路５から供給する直流電圧Ｖｃｃを零にすることにより、電源端子４からＮＭＯＳトランジスタＳＷ１とＳＷ２を貫通して、又はＮＭＯＳトランジスタＳＷ３とＳＷ４を貫通してグランドへ電流は流れない。
【００３５】
このようにして、図２に示す電源回路５から供給される直流電圧Ｖｃｃをミュート信号に応じて零とし、ＮＭＯＳトランジスタＳＷ２、ＳＷ４をオンとすることにより、出力ミュートを簡単な構成で良好に行うことができる。
【００３６】
以上説明したような出力ミュート回路を用いると、デジタルパワーアンプの出力経路を遮断するためのリレースイッチ等を設けなくとも出力ミュートを簡単な構成で良好に行うことができる。また、前記スイッチング素子のオン期間とオフ期間が平均的に等しくなるような配列のデータに設定する制御回路を設けなくとも出力ミュートを簡単な構成で良好に行うことができる。従って、出力ミュート機能を備えたオーディオ機器の構成が簡単になり、コストを低減できる。
【００３７】
また、第１、第２、第３、第４スイッチング素子を全てＮチャンネル型ＭＯＳトランジスタとすることにより、Ｎチャンネル型ＭＯＳトランジスタは、Ｐチャンネル型ＭＯＳトランジスタ等に比してドレイン電圧即ち、直流電源Ｖｃｃを低くした状態でオーディオ信号を増幅できるので、消費電力を低減できる。特にヘッドホン等の小さい電力で駆動させるスピーカに対応する場合に有用である。更に、損失が減るので、高効率なオーディオ機器が実現できる。また、出力ミュート時に、スピーカが低抵抗で接地されることになるので、出力ミュート時の出力の減衰率が向上する。
【００３８】
尚、本実施例では、第１、第２、第３、第４スイッチング素子を、全てＮＭＯＳトランジスタとした例を説明したが、ＰＭＯＳトランジスタやバイポーラトランジスタ等の他のスイッチング素子で構成されたオーディオ機器においても、本実施例で述べたような出力ミュート回路を用いることにより、出力ミュートを簡単な構成で良好に行うことができる。
【００３９】
また、第１の実施例では、第１、第２、第３、第４スイッチング素子を、全てＮＭＯＳトランジスタとしたオーディオ機器のミュート回路を構成する素子として、ＡＮＤゲートとＮＡＮＤゲートを用いた例で説明したが、他の論理ゲートを用いて構成してもよいことは言うまでもない。また、第２の実施例においても、第１、第２、第３、第４スイッチング素子を、全てＮＭＯＳトランジスタとしたオーディオ機器のミュート回路を構成する素子として、ＮＡＮＤゲートを用いた例で説明したが、他の論理ゲートを用いて構成してもよいことは勿論である。
【００４０】
【発明の効果】
本発明によると、デジタルパワーアンプを備えたオーディオ機器の出力ミュート回路であって、出力ミュートを簡単な構成で良好に行うことができるオーディオ機器の出力ミュート回路が実現できる。
【図面の簡単な説明】
【図１】は、本発明の第１の実施形態を示す回路図である。
【図２】は、本発明の第２の実施形態を示す回路図である。
【図３】は、オーディオ信号からＰＷＭ信号が生成される原理を示した図である。
【図４】は、本発明を適用したオーディオ機器の構成を示すブロック図である。
【符号の説明】
１，２　入力端子
３　制御端子
４　電源端子
５　電源回路
６　スイッチ
１１，１２　ＡＮＤゲート
１３，１４　ＮＡＮＤゲート
１５，１６　出力端子
１７　スピーカ
４１　ＰＣＭ−ΔΣ変調器
４２　ＰＷＭアンプ
４３　スピーカ
４４　ミュート信号発生回路
４５　電源回路
ＳＷ１，ＳＷ２，ＳＷ３，ＳＷ４　ＮＭＯＳトランジスタ
Ｃ１，Ｃ２　コンデンサ
Ｌ１，Ｌ２　コイル
Ｖｃｃ　直流電圧
【図１】
2004135016.tif 000005
【図２】
2004135016.tif 000006
【図３】
2004135016.tif 000007
【図４】
2004135016.tif 000008